(57)【特許請求の範囲】
【請求項１】
段付シリンダ孔とこの段付シリンダ孔の一端部、中間部および他端部にそれぞれ連通する第１のポート、第２のポートおよび第３のポートとが形成されているボデーと、前記中間部内に配置され且つ前記ボデーに固定されており、前記第１のポートと前記第２のポートを連通するための第１の通孔を中心部に有している第１の弁座部材と、前記中間部内に配置され且つ前記ボデーに固定されており、前記第２のポートと前記第３のポートを連通するための第２の通孔を中心部に有している第２の弁座部材と、前記両弁座部材の間に配置されており、前記両弁座部材の各々の縮径部が内側に圧入されているスペーサと、前記スペーサの内側に配置されており、前記両通孔の何れか一方を選択的に閉鎖させるための弁体と、前記弁体を前記第２の通孔を閉鎖させるように付勢する付勢部材と、前記他端部内に配置されていて前記弁体を前記付勢部材の付勢に抗して前記第１の通孔を閉鎖させるように押動するためのロッドと、前記ロッドに結合した可動鉄心を含んでおり、電気コイルへの通電により前記ロッドを推進させる電磁石と、前記両弁座部材、前記スペーサおよび前記弁体の組立体を前記中間部内に挿入した後に前記中間部の端部の周囲部分をかしめることにより形成され、前記各弁座部材を前記ボデーに対してシール状態に固定する止め部を備えた三方向電磁弁。
【請求項２】
請求項１に記載の三方向電磁弁であって、前記両弁座部材が同一の形状および寸法を有していることを特徴とする三方向電磁弁。
【請求項３】
請求項１に記載の三方向電磁弁であって、前記付勢部材が前記両弁座部材の何れか一方部材の内部に収容されており、その一端で前記弁体に直接当接されていることを特徴とする三方向電磁弁。
【請求項４】
請求項３に記載の三方向電磁弁であって、前記付勢部材が線材で形成されたスプリングであり、その一端に前記弁体と当接するピン状部を有していることを特徴とする三方向電磁弁。
【請求項５】
請求項４に記載の三方向電磁弁であって、前記付勢部材の他端の環状部が前記一方部材に形成された環状溝に係止されていることを特徴とする三方向電磁弁。
【発明の詳細な説明】
【０００１】
【発明の属する技術分野】
この出願の発明は、車両用液圧ブレーキ装置のブレーキ液圧制御弁などに使用される三方向電磁弁に関するものである。
【０００２】
【従来の技術】
近年、電磁弁の技術分野においても構成部品点数の削減によるコストの引き下げが行われている。ＷＯ９３−８０５１号公報には、二方向電磁弁において、ボデーの段付シリンダ孔の小径部内に弁座部材を挿入した後、小径部の端部の周囲をかしめることにより弁座部材をボデーに対してシール状態に固定すること、電磁石の固定鉄心の膨径端部および固定鉄心を挿入したスリーブの膨径端部を段付シリンダ孔の中径部内に挿入した後、中径部の端部の周囲をかしめることにより固定鉄心およびスリーブをボデーに対してシール状態に固定することが開示されている。かかる技術によれば、ボデーと弁座部材との間のシール部材やボデーと固定鉄心およびスリーブとの間のシール部材が不要となる。
【０００３】
【発明が解決しようとする課題】
しかしながら、上記従来装置は、弁体が弁座部材から離脱している状態での流量特性や弁体が弁座に着座した状態でのシール特性が規格を満たしているか否かの検査を電磁弁組立体の状態でしか行えないものであり、検査の作業性が良いとは言えず、また不合格の場合には電磁弁組立体全体が廃棄処分となり、不経済であると言う問題がある。
【０００４】
この出願の発明は、シール部材を用いることなく弁座部材をボデーに対してシール状態に固定するとともに、弁座部材と弁体との間のシール性や弁体が弁座部材から離脱した状態での流量の検査が容易であり、組立が容易である三方向電磁弁を提供することを目的とする。
【０００５】
【課題を解決するための手段】
上記の目的に従うこの出願の発明に係る三方向電磁弁は、請求項１に記載したように、段付シリンダ孔とこの段付シリンダ孔の一端部、中間部および他端部にそれぞれ連通する第１のポート、第２のポートおよび第３のポートとが形成されているボデーと、前記中間部内に配置され且つ前記ボデーに固定されており、前記第１のポートと前記第２のポートを連通するための第１の通孔を中心部に有している第１の弁座部材と、前記中間部内に配置され且つ前記ボデーに固定されており、前記第２のポートと前記第３のポートを連通するための第２の通孔を中心部に有している第２の弁座部材と、前記両弁座部材の間に配置されており、前記両弁座部材の各々の縮径部が内側に圧入されているスペーサと、前記スペーサの内側に配置されており、前記両通孔の何れか一方を選択的に閉鎖させるための弁体と、前記弁体を前記第２の通孔を閉鎖させるように付勢する付勢部材と、前記他端部内に配置されていて前記弁体を前記付勢部材の付勢に抗して前記第１の通孔を閉鎖させるように押動するためのロッドと、前記ロッドに結合した可動鉄心を含んでおり、電気コイルへの通電により前記ロッドを推進させる電磁石と、前記両弁座部材、前記スペーサおよび前記弁体の組立体を前記中間部内に挿入した後に前記中間部の端部の周囲部分をかしめることにより形成され、前記各弁座部材を前記ボデーに対してシール状態に固定する止め部を備えたものである。
【０００６】
上記の如き構成の三方向電磁弁において、請求項２〜５に記載したように、付勢部材を両弁座部材の何れか一方部材の内部に配置してその一端で直接弁体に当接させ、更に、付勢部材を線材にて形成したスプリングとしてその一端に弁体に当接させるピン状部を設け、更には、スプリングの他端の環状部をガイド部材に設けた環状溝に係止させることにより、組立作業の容易化および小型化を図ることができる。
【０００７】
また、構成部品の種類を少なくしてコスト低減を図るため、請求項６に記載したように、前記両弁座部材が同一の形状および寸法を有したものとすることが好ましい。
【０００８】
上記の如き構成の三方向電磁弁において、電磁石の電気コイルに通電しない常態では、前記付勢部材により前記弁体が前記第１の弁座部材から離脱させられて前記第１の通孔を開き且つ前記第２の弁座部材に接触させられて前記第２の通孔を閉鎖するため、前記第１のポートが前記第２のポートに連通し且つ前記第２のポートと前記第３のポートとが遮断される。電磁石の電気コイルに通電すると、前記ロッドが推進されて前記弁体が前記第２の弁座部材から離脱させられて前記第２の通孔を開き且つ前記第１の弁座部材に接触させられて前記第１の通孔を閉鎖するため、前記第２のポートが前記第３のポートに連通し且つ前記第２のポートと前記第１のポートとが遮断される。
【０００９】
前記止め部により前記各弁座部材を前記ボデーに対してシール状態に固定するため、シール部材は不要である。
【００１０】
前記両弁座部材、前記スペーサおよび前記弁体は組立体となっているため、これらを前記中間部内に挿入する作業は容易であり、この組立体を前記小径部に挿入する前段階で各弁座部材と弁体との間のシール性や弁体が弁座部材から離脱した状態での流量の検査を行うことができるので、検査の作業性も良く、また検査に不合格の場合にはこの組立体のみを廃棄処分にすれば足りるので経済的に生産できる。
【００１１】
【発明の実施の形態】
この出願の発明に係る三方向電磁弁の実施形態を図面に基づいて説明する。
【００１２】
図１は、実施形態１の縦断面を示す。図１において、１１は金属製のボデーであり、上下方向の軸線を有する段付シリンダ孔１２と、この段付シリンダ孔１２の小径の一端部１２ａに連通する第１のポート１３と、段付シリンダ孔１２の中径の中間部１２ｂに連通する第２のポート１４と、段付シリンダ孔１２の大径の他端部１２ｃに連通する第３のポート１５が形成されている。
【００１３】
段付シリンダ孔１２の他端部１２ｃの上方膨径部内には、電磁石１６の固定鉄心１７の下方膨径部と非磁性体製のスリーブ１８の下方テーパ部が配置されており、スリーブ１８のテーパ部とボデー１１のテーパ部との間に止めリング１９を圧入することにより固定鉄心１７およびスリーブ１８がボデー１１に固定され且つスリーブ１８とボデー１１との間がシールされている。
【００１４】
電磁石１６は、スリーブ１８内の可動鉄心２０と、可動鉄心２０を上方へ付勢する線材製のコイル状のスプリング２１と、スリーブ１８の外側を囲むように配置されている電気コイル２２と、磁性体製のヨーク部材２３，２４を含む。
【００１５】
図１〜図３に示されるように、段付シリンダ孔１２の中間部１２ｂ内には、金属製の第１の弁座部材２５、金属製の第２の弁座部材２６、金属製のスペーサ２７および球状の金属製の弁体２８の組立体２９が配置されている。弁座部材２５および２６は同一の形状および寸法を有するものであり、弁座部材２５および２６は通孔２５ａおよび２６ａをそれぞれ中心部に有している。弁座部材２５および２６の縮径部２５ｂおよび２６ｂはスペーサ２７の内側に圧入されている。スペーサ２７は、弁座部材２５および２６の外径よりも若干小さい外径を有しており、段付シリンダ孔１２の中間部１２ｂの周面との間に環状の通路３０を形成する。また弁体２８が位置する部分の内径から外径に達する放射溝２７ａを３本有している。通路３０と放射溝２７ａにより、組立体２９の周方向の位置がどのようであっても第２ポート１４と通孔２５ａ，２６ａとの連通が確保される。
【００１６】
組立体２９を中間部１２ｂ内に挿入した後、中間部１２ｂの上端部の周囲部分をかしめることにより形成された止め部１１ａにより、弁座部材２５の下面と中間部１２ｂの下端面との間がシールされ、弁座部材２６の上端部外周と止め部１１ａとの間がシールされ、両弁座部材２５，２６がボデー１１に固定される。
【００１７】
段付シリンダ孔１２の一端部１２ａ内には、スプリング３１の力により弁体２８を上方へ付勢する付勢部材３２が上下動自在に配置されており、弁体２８を付勢部材３２の付勢に抗して下方へ押動させるロッド３３が段付シリンダ孔１２の他端部１２ｃ内に配置されている。このロッド３３は電磁石１６の可動鉄心２０と結合されており、電気コイル２２が通電された場合には電磁石１６により下方へ推進させられる。段付シリンダ孔１２の他端部１２ｃ内には、ロッド３３をガイドするガイド３４とこれを固定する止めリング３５が配置されている。止めリング３５は他端部１２ｃの周壁をかしめることにより固定されている。
【００１８】
次に作用を説明する。電磁石１６の電気コイル２２に通電しない常態では、付勢部材３２により弁体２８が弁座部材２５から離脱させられて通孔２５ａを開き且つ弁座部材２６に接触させられて通孔２６ａを閉鎖するため、ポート１３がポート１４に連通し且つポート１４とポート１５とが遮断される。電磁石１６の電気コイル２２に通電すると、ロッド３３が下方へ推進されて弁体２８が弁座部材２６から離脱させられて通孔２６ａを開き且つ弁座部材２５に接触させられて通孔２５ａを閉鎖するため、ポート１４がポート１５に連通し且つポート１４とポート１３とが遮断される。
【００１９】
図４は、実施形態２の縦断面の一部を示す。実施形態１に対する実施形態２の相違点は、第２の弁座部材２６とスペーサを一体化した点と弁座部材２５内に収容された線材製のコイル状のスプリング３６が弁体２８を直接付勢する点にある。スプリング３４はその上端にピン状部３６ａを有し、このピン状部３６ａで弁体２８に当接し、またその下端の環状部３６ｂを弁座部材２５に形成された環状溝２５ｃに係止されている。
【００２０】
尚、スプリング３６の代わりに、板材製の付勢部材を使用しても良い。
【００２１】
【発明の効果】
以上に説明したように、この出願の発明によれば、シール部材を用いることなく弁座部材をボデーに対してシール状態に固定するとともに、弁座部材と弁体との間のシール性や弁体が弁座部材から離脱した状態での流量の検査が容易であり、組立が容易である三方向電磁弁を提供することができる。
【図面の簡単な説明】
【図１】この出願の発明に係る三方向電磁弁の実施形態１の縦断面図である。
【図２】図１の要部の拡大図である。
【図３】要部の分解斜視図である。
【図４】この出願の発明に係る三方向電磁弁の実施形態２の縦断面図である。
【符号の説明】
１１・・・ボデー
１１ａ・・・止め部
１２・・・段付シリンダ孔
１３，１４，１５・・・ポート
１６・・・電磁石
２５，２６・・・弁座部材
２７・・・スペーサ
２８・・・弁体
２９・・・組立体
３２・・・付勢部材
３３・・・ロッド
３６・・・付勢部材
【図１】
0003635725.tif 000002
【図２】
0003635725.tif 000003
【図３】
0003635725.tif 000004
【図４】
0003635725.tif 000005